(57)【要約】【課題】ブレードに洗浄水路を形成して、この洗浄水路を通して噴水孔から噴水させながら洗浄する技術は、洗浄水路や、噴水孔等をブレード自体内部に成形するため、ブレード自体の腐蝕が行われ易く、補強構成が煩雑であり、洗浄水の詰まり易い等の欠点がある。【解決手段】刈刃カバー１の下側に沿って回転するブレード軸２のブレード３上側部に、外周上縁を外周上方向へ開拡した傾斜皿縁４，５を有した内、外複数層の放水皿６，７を形成し、内側の放水皿６内に洗浄水を供給可能に構成するとともに、前記刈刃カバー１の下側には、これら内、外の放出皿６，７の各傾斜皿縁４，５間の皿間隔部８に垂下して放水皿６上方外周へ放出される洗浄水を流下案内する案内突条９を形成した案内板１０を設けたことを特徴とするモーアデッキ洗浄装置の構成とする。【選択図】図１
2010130974.tif 000002
【特許請求の範囲】
【請求項１】
ブレード（３）を回転し、洗浄水を流入させながら刈刃カバー（１）下側部の洗浄を行うモーアデッキ洗浄装置において、刈刃カバー（１）の下側に沿って回転するブレード軸（２）のブレード（３）上側部に、外周上縁を外周上方向へ開拡した傾斜皿縁（４），（５）を有した内、外複数層の放水皿（６），（７）を形成し、内側の放水皿（６）内に洗浄水を供給可能に構成するとともに、前記刈刃カバー（１）の下側には、これら内、外の放出皿（６），（７）の各傾斜皿縁（４），（５）間の皿間隔部（８）に垂下して放水皿（６）上方外周へ放出される洗浄水を外側の放水皿（７）内へ流下案内する案内突条部（９）を形成した案内板（１０）を設けたことを特徴とするモーアデッキ洗浄装置。
【請求項２】
前記外側の傾斜皿縁（５）の傾斜角度を、複数の異なる傾斜角度（Ｂ）や傾斜角度（Ｄ）に形成したことを特徴とする請求項１に記載のモーアデッキ洗浄装置。
【請求項３】
前記外側の傾斜皿縁（５）部には放水用の放水羽根板（１１）を設けることを特徴とする請求項１、又は２に記載のモーアデッキ洗浄装置。
【発明の詳細な説明】
【技術分野】
【０００１】
この発明は、刈刃カバーの下面の水洗効果を高めるモーアデッキ洗浄装置に関する。
【背景技術】
【０００２】
回転するブレードに洗浄水の流れる水路や、噴水孔等を形成して、このブレードの回転によって洗浄水を刈刃カバーの下面に噴水して、洗浄する技術（例えば、特許文献１参照）が知られている。
【特許文献１】特開平５−２１９８１４号公報
【発明の開示】
【発明が解決しようとする課題】
【０００３】
ブレード軸と一体的に回転するブレードに洗浄水路を形成して、この洗浄水路を通して噴水孔から噴水させながら洗浄する技術は、洗浄水路や、噴水孔等をブレード自体内部に成形するため、ブレード自体の腐蝕が行われ易く、補強構成が煩雑であり、洗浄水が詰まり易い等の欠点がある。
【課題を解決するための手段】
【０００４】
請求項１に記載の発明は、刈刃カバー１の下側に沿って回転するブレード軸２のブレード３上側部に、外周上縁を外周上方向へ開拡した傾斜皿縁４，５を有した内、外複数層の放水皿６，７を形成し、内側の放水皿６内に洗浄水を供給可能に構成するとともに、前記刈刃カバー１の下側には、これら内、外の放出皿６，７の各傾斜皿縁４，５間の皿間隔部８に垂下して放水皿６上方外周へ放出される洗浄水を外側の放水皿７内へ流下案内する案内突条部９を形成した案内板１０を設けたことを特徴とするモーアデッキ洗浄装置の構成とする。芝草の刈取作用は、ブレード軸２の駆動回転によって、ブレード３、及び内、外放水皿６，７を回転し、このブレード３によって刈取った芝草を刈刃カバー１の下面に沿って外周方向へ放出する。このため、刈刃カバー１等の下面には芝屑や、泥土等が固くこびりついて除き難くなる。又、このモーアデッキの洗浄を行うときは、洗浄水ホース等を前記内側の放水皿６にのぞませて洗浄水を供給しながら、ブレード軸２の駆動回転によりブレード３を回転する。この洗浄水の供給される放水皿６の回転によって、洗浄水が傾斜皿縁４の傾斜面に沿って上方外周方向へ放水されて、この上側を覆う案内板１０の下面に向けて放射される。この放水は案内板１０の案内突条部９に案内されて下方の放水皿７内に流下案内される。この外側部の放水皿７に受けられた洗浄水は、この放水皿７の回転によって傾斜皿縁５を案内されて、案内突条部９外周部の刈刃カバー１の下面に向けて放水されて、この刈刃カバー１の下側面を洗浄する。
【０００５】
請求項２に記載の発明は、前記外側の傾斜皿縁５の傾斜角度を、複数の異なる傾斜角度Ｂや傾斜角度Ｄに形成したことを特徴とする。前記のような刈刃カバー１の下面の洗浄において、傾斜皿縁５の傾斜角度を複数の異なる傾斜角度で形成しているため、放水皿７外周部から上方の刈刃カバー１へ向け放出される洗浄水の放出角度が異なり、刈刃カバー１等の下面の洗浄効果を高める。
【０００６】
請求項３に記載の発明は、前記外側の傾斜皿縁５部には放水用の放水羽根板１１を設けることを特徴とする。前記のような洗浄水の放水案内において、案内突条９から流下案内された放水皿７内の洗浄水は、放出羽根板１１の回転によって高圧力に放水されて、強い洗浄圧力水によって刈刃カバー１下面の洗浄が行われる。
【発明の効果】
【０００７】
請求項１に記載の発明は、案内板１０や刈刃カバー１の下面に放水する放水皿６，７は、外周部に傾斜皿縁４，５を形成した単なる皿形形態で、上側部を開放させた構成であるため、洗浄水の流れを行い易くすると共に、洗浄水圧力を高く維持して、洗浄効果を良好に維持することができる。放水皿６，７を内、外複数層に形成することによって、各傾斜皿縁４，５による回転遠心作用力によって、外周部に至るに伴って広くなる洗浄域に対応して高い洗浄力を維持することができる。各放水皿６，７上面での洗浄水量を多くするように開放形態として、構成を簡単にして、洗浄後の残留水をなくすることができ、腐蝕しにくい携帯とすることができる。
【０００８】
請求項２に記載の発明は、放水皿７の傾斜皿縁５傾斜角度を、複数の異なる傾斜角度Ｂ，Ｄに形成しているので、放水皿７外周部からの放水角度が異なり、刈刃カバー１下面に付着する芝草の切屑や、泥土等を広範囲に洗浄除去することができ、洗浄効果を高くすることができる。
【０００９】
請求項３に記載の発明は、外周部の放水皿７には、放出羽根板１１を形成するため、この放水皿７に収容される洗浄水の一体的掻き回しを有効に行わせて、遠心力による刈刃カバー１下面への放水圧力及び洗浄力を高くすることができる。
【発明を実施するための最良の形態】
【００１０】
図面に基づいて、モーアデッキ１２は、トラクタ車体１３の前輪１４と後輪１５の間の腹部に装着されて、ミッドモーア形態としている。車体１３は、ステアリングハンドル１６によって操向可能の前輪１４と、後部に搭載のエンジン１７によって駆動される後輪１５とによって、四輪駆動走行形態に構成し、運転席１８、及びフロア１９等を有する。モーアデッキ１２は、中央下部にブレード軸２を有してブレード３を回転伝動可能に構成し、前後一対の平行リンク２０によって車体１３腹部に昇降可能に装着する。車体１３後部の出力軸２１と、モーアデッキ１２のブレード軸２上端の入力プーリ２２との間にベルト２３を掛け渡して伝動構成する。２４はリフトアームで、モーアデッキ１２を昇降操作することができる。
【００１１】
モーアデッキ１２は、中央部にブレード軸２を回転自在に軸受けする軸受ボス２５を有し、この軸受ボス２５の外周に刈刃カバー１と、案内板１０を固定して、ブレード３の回転上側面を覆う。ブレード軸この下端部に、メタル２６、ボルト２７、ナット２８等を介して、内、外の放水皿６，７及びブレード３を取付けて、このブレード軸２周りに一体回転することができる。前記放水皿６，７、及びブレード３の中央部には、前記ブレード軸２下端部のボルト軸２９に嵌合できる軸穴を形成して、この軸穴部をボルト軸２９に下端側から嵌合して、メタル２６部に重合させることができ、このボルト軸２９にナット２８を螺合して締付けて、ブレード３等を取付けることができる。この状態で、各放出皿６，７及びブレード３の重合部にわたって形成のボルト穴にボルト２７を挿通して、前記メタル２６に螺挿して締付けることによって、ブレード軸２に一体回転するように固定して取付けることができる。
【００１２】
前記各放水皿６，７は、ブレード３の回転中央上面に取付けられて、一体回転する。又、案内板１０は、これら放水皿６，７の上側に対向して、刈刃カバー１の下面中央部を覆う形態に構成される。放水皿６は、軸受ボス２５の下部外周部を囲形態に比較的深くした傾斜皿縁４を形成する。この傾斜皿縁４は、底面部か上端縁部にわたって順次径を大きくした傾斜角Ａの傾斜面に形成して円錐形筒形状に構成している。この傾斜皿縁４の上端縁部は、前記軸受ボス２５の下端縁よりも上位に深く形成して、この軸受ボス２５の下端部はブレード軸２との間に防水シール３０を嵌合し、この放水皿６内に貯留される洗浄水の軸受ボス２５内への浸入を防止する。
【００１３】
前記外側の放水皿７は、前記内側の放水皿６よりも大径に形成して、この放水皿６の下側に重合させる。外周部に形成の傾斜皿縁５の傾斜角度は、異なる傾斜角度Ｂ，Ｄで形成されており、放水皿７外周部から上方の刈刃カバー１へ向け放出される洗浄水の放水方向を異ならせることにより、刈刃カバー１の下面広範囲にわたる洗浄を行わせることができる。又、傾斜皿縁５は、前記内側の傾斜皿縁４の傾斜角Ａよりも緩い傾斜角Ｂに形成して、低く形成している。この傾斜縁４の先端部を案内板１０外周部の刈刃カバー１部面Ｃに対向させている。この外側の放水皿７の内周面に放出羽根板１１を形成し、放水皿７内に貯留する洗浄水の逃げを少なくして、放水効果を高く維持する。この放水羽根板１１は、傾斜皿縁５内周面に沿って形成し、正確な放水案内を傾斜皿縁５終端まで行わせる形態とする。又、放水羽根板１１の上端縁には回転方向側へ曲げた案内縁３１を形成して、放水効果を有効に維持する。
【００１４】
前記案内板１０は、中央部のボス穴部３２を前記軸受ボス２５の外周に嵌合して取付けるもので、浅い円錐形状に形成し、この円錐形状面の中間部に下方へ押出すように曲げ加工したＵ字状断面の案内突条部９を形成する。この案内突条部９は、ブレード軸２周りの円形リング状態に形成される。この案内板１０を前記内、外の放水皿６，７上面を覆うように構成するが、この案内突条部９を、内側の傾斜皿縁４と外側の傾斜皿縁５との間の皿間隔部８上にのぞませて、内側の放水皿６から外周へ放出された洗浄水を、この案内突条部９で案内して、外側の放出皿７内へ流下案内する。各放水皿６，７の底部に水抜孔３６，３７を形成して、洗浄後の残留水がないように、水切りを速やかに十分行わせることができる。尚、案内板１０は、軸受ボス２５の補強部材として兼用されているが、その形状を限定するものではなく、放水皿６から外周へ放出された洗浄水を放水皿７内に流下案内できればよい。
【００１５】
前記放水皿６内に洗浄水を供給案内するための給水パイプ３３を、軸受ボス２５の外周部の刈刃カバー１部に取付けて、この給水パイプ３３の供給口３４をモアーデッキ１２の外側に形成して、給水ホースを連結することができ、給水口３５を案内板１０下側の放水皿６上にのぞませている。刈取作業を止めてモーアデッキ１２を水洗するときは、ブレード３を駆動回転させながら、給水パイプ３３から放水皿６内へ給水すると、この給水パイプ３３から放水皿６内に供給された洗浄水が、上側の案内板１０に向け放水されて、この案内板１０の下面を洗浄しながら、案内突条部９によって外側の放水皿７に流下案内され、更にこの放水皿７の傾斜皿縁５、及び放出羽根板１１により放水案内されて、広域の刈刃カバー１下面を洗浄する。
【００１６】
このような給水パイプ３３を介して供給する水によって洗浄作業した後は、給水パイプ３３の供給口３４から給水ホースの連結を外すが、前記ブレード３の回転によって、各放水皿６，７内に供給されていた洗浄水は、放水皿６，７底部の水抜孔３６，３７から脱水されたり、この回転遠心作用によって外方へ射出され易く、又、これら放水皿６，７の上面の開口状態によって乾燥状態も速やかに行われるため、各放出皿６，７等の腐蝕を防止することができる。
【００１７】
前記案内板１０の案内突条部９の形態として、図５に示すような単なる一定高さの円筒状板体で形成することもできる。この案内突条部９は、前記モーアデッキ１２、乃至刈刃カバー１の下面に直接垂下形態に固定して、下端縁を皿間隔部８にのぞませたものであり、短い円筒形状に形成されて、構成が簡単である。又、この案内板１０は、中央部のボス穴部３２を軸受ボス２５に溶接等により接合し、外周端縁部を刈刃カバー１の下面に接合する形態としているが、これらの接合部を単なる重合する形態として、これら軸受ボス２５や刈刃カバー１から取外し可能な着脱形態として、分解掃除し易く構成することもできる。更には、前記案内突条部９の底部に水抜孔を形成して、洗浄水等の残留し難い構成とすることができる。
【図面の簡単な説明】
【００１８】
【図１】ブレード軸部の側面図。
【図２】その放水皿部の平面図。
【図３】ミッドモーアの側面図。
【図４】その平面図。
【図５】一部別実施例を示す側面図。
【符号の説明】
【００１９】
１    刈刃カバー
２    ブレード軸
３    ブレード
４    傾斜皿縁（内）
５    傾斜皿縁（外）
６    放水皿（内）
７    放水皿（外）
８    皿間隔部
９    案内突条部
１０  案内板
１１  放出羽根板
Ｂ    傾斜角度
Ｄ    傾斜角度
【図１】
2010130974.tif 000003
【図２】
2010130974.tif 000004
【図３】
2010130974.tif 000005
【図４】
2010130974.tif 000006
【図５】
2010130974.tif 000007